【手続補正書】
【提出日】平成15年6月20日(2003.6.20)
【手続補正１】
【補正対象書類名】明細書
【補正対象項目名】特許請求の範囲
【補正方法】変更
【補正の内容】
【特許請求の範囲】
【請求項１】
各種商品に関するカタログ情報、商品販売業者の認識情報、およびユーザから商品販売業者への通信手順を示す通信プログラムを格納したカタログショッピング用ディスクから該カタログ情報、認識情報および通信プログラムを再生する媒体再生部と、
ユーザを特定するユーザ情報を登録するためのメモリと、
前記カタログ情報からユーザにより選択された購入希望商品に関する情報を設定する設定部と、
前記媒体再生部に接続され、前記媒体再生部と商品販売業者との通信のためのモデムを内蔵したアダプタとを備え、前記媒体再生部により再生された通信プログラムに基づき、前記購入希望商品に関する情報および前記メモリに登録されたユーザ情報を前記モデムを介して送信することを特徴とするカタログショッピングシステム。
【請求項２】
各種商品に関するカタログ情報、商品販売業者の認識情報、およびユーザから商品販売業者への通信手順を示す通信プログラムを格納したカタログショッピング用ディスクから該カタログ情報、認識情報および通信プログラムを再生する媒体再生部と、
前記媒体再生部により再生されるカタログ情報を表示する表示装置と、
ユーザを特定するユーザ情報を登録するためのメモリと、
前記媒体再生部に接続され、および前記媒体再生部と商品販売業者との通信のためのモデムを内蔵したアダプタとを備え、
前記媒体再生部により再生された通信プログラムに基づき、ユーザによって前記表示装置で表示されたカタログ情報より選択された購入希望商品に関する情報および前記メモリに登録されたユーザ情報を前記モデムを介して送信することを特徴とするカタログショッピングシステム。
【請求項３】
各種商品に関するカタログ情報、商品販売業者の認識番号、およびユーザから商品販売業者への通信手順を示す通信プログラムを格納したカタログショッピング用ディスクから該カタログ情報、認識番号および通信プログラムを再生する媒体再生部と、
前記媒体再生部に接続され、ユーザを特定するユーザ情報を登録するためのメモリ、および前記媒体再生部と商品販売業者との通信のためのモデムを内蔵したアダプタとを備え、
前記通信プログラムは、前記媒体再生部に前記カタログショッピング用ディスクに格納された商品販売業者の認識情報を読み取らせ、
読み取られた商品販売業者の認識番号をダイアルする動作を前記モデムに行わせ、
この認識番号のダイアルによる商品販売業者への回線接続後に、前記メモリに登録されたユーザ情報と購入希望商品に関する情報を商品販売業者に送信する動作を前記モデムに行わせるためのプログラムを記述したものであることを特徴とするカタログショッピングシステム。
【請求項４】
各種商品に関するカタログ情報、商品販売業者の認識番号情報、およびユーザから商品販売業者への通信手順を示す通信プログラムを格納したカタログショッピング用ディスクから該カタログ情報、認識番号情報および通信プログラムを再生する媒体再生部と、
前記媒体再生部に接続され、ユーザを特定するユーザ情報を登録するためのメモリ、および前記媒体再生部と商品販売業者との通信のためのモデムを内蔵したアダプタとを備え、
前記通信プログラムは、前記媒体再生部に前記カタログショッピング用ディスクに格納された商品販売業者の認識番号情報を読み取らせ、
前記メモリにユーザ情報が登録されているか否かを調べ、登録されている場合は直ちに、また登録されていない場合は登録後に、読み取られた商品販売業者の認識番号情報をダイアルする動作を前記モデムに行わせ、
この認識番号情報のダイアルによる商品販売業者への回線接続後に、前記メモリに登録されたユーザ情報と購入希望商品に関する情報を商品販売業者に送信する動作を前記モデムに行わせるためのプログラムを記述したものであることを特徴とするカタログショッピングシステム。
【請求項５】
各種商品に関するカタログ情報と、商品販売業者の認識番号情報、およびユーザから商品販売業者への通信手順を示す通信プログラムを格納したカタログショッピング用ディスク。
【請求項６】
各種商品に関するカタログ情報と、商品販売業者の認識番号情報と、ユーザから商品販売業者への通信手順を示す通信プログラム、および認識番号情報の局番に対応させて住所データを記述した住所データベースを格納したカタログショッピング用ディスク。
【請求項７】
各種商品に関するカタログ情報と、商品販売業者の認識番号情報、およびユーザから商品販売業者への通信手順を示す通信プログラムを格納したカタログショッピング用ディスクであって、
前記通信プログラムは、媒体再生部に該カタログショッピング用ディスクに格納された商品販売業者の認識番号情報を読み取らせ、
読み取られた商品販売業者の認識番号情報をダイアルする動作をモデムに行わせ、
この認識番号情報のダイアルによる商品販売業者への回線接続後に、予めメモリに登録されたユーザ情報と購入希望商品に関する情報を商品販売業者に送信する動作を前記モデムに行わせるためのプログラムを記述したものであることを特徴とするカタログショッピング用ディスク。
【請求項８】
各種商品に関するカタログ情報と、商品販売業者の認識番号情報、およびユーザから商品販売業者への通信手順を示す通信プログラムを格納したカタログショッピング用ディスクであって、
前記通信プログラムは、媒体再生部に該カタログショッピング用ディスクに格納された商品販売業者の認識番号情報を読み取らせ、
前記メモリにユーザ情報が登録されているか否かを調べ、登録されている場合は直ちに、登録されていない場合は登録後に、読み取られた商品販売業者の認識番号情報をダイアルする動作をモデムに行わせ、
この認識番号情報のダイアルによる商品販売業者への回線接続後に、予めメモリに登録されたユーザ情報と購入希望商品に関する情報を商品販売業者に送信する動作を前記モデムに行わせるためのプログラムを記述したものであることを特徴とするカタログショッピング用ディスク。
【請求項９】
各種商品に関するカタログ情報と、商品販売業者の認識情報と、ユーザから商品販売業者への通信手順を示す通信プログラム、および認識情報に対応させて住所データを記述した住所データベースを格納したカタログショッピング用ディスクから該カタログ情報、認識情報、通信プログラム、および住所データベースを再生する媒体再生部と、
前記媒体再生部に接続され、ユーザを特定する住所を含むユーザ情報を登録するためのメモリ、および前記媒体再生部と商品販売業者との通信のためのモデムを内蔵したアダプタとを備え、
前記媒体再生部により再生された通信プログラムに基づき、ユーザにより前記カタログ情報より選択された購入希望商品に関する情報および前記メモリに登録されたユーザ情報を前記モデムを介して送信し、
前記メモリにユーザ情報を登録する際には、ユーザの認識情報をキーとして前記住所データベースからユーザの住所データを検索して、該住所データを利用して登録を行うことを特徴とするカタログショッピングシステム。
【請求項１０】
媒体に格納された情報を再生する媒体再生部に接続されるカタログショッピング用アダプタであって、
前記媒体再生部のユーザを特定するユーザ情報を登録するためのメモリ、および前記媒体再生部と商品販売業者との通信のためのモデムを内蔵したカタログショッピング用アダプタ。
【請求項１１】
上記媒体は、ＤＶＤであることを特徴とする請求項１乃至４のいずれかに記載の
カタログショッピングシステム。